(57)【特許請求の範囲】
【請求項１】
複数の折板屋根材の山部半体同士が馳連結部により連結されることによって、山部と谷部とが交互に連なった折板屋根が形成され、前記馳連結部を被覆するカバー材が山部に取り付けられるカバー材の取付構造であって、前記馳連結部に係止具が全長にわたって取り付けられると共に前記係止具は固定具によって前記馳連結部に固定され、前記固定具が前記馳連結部に当接することにより前記馳連結部が締め付けられ、前記カバー材には被係止部が形成され、前記係止具に前記被係止部が係止されることによって、前記カバー材が前記係止具に固着されて成ることを特徴とする折板屋根へのカバー材の取付構造。
【請求項２】
前記係止具には前記山部の側方に突出する係止部が形成され、前記カバー材には前記山部の側面を被覆する側面被覆部が形成されると共に前記側面被覆部に前記被係止部が形成され、前記係止部に前記被係止部が係止されることによって、前記カバー材が前記係止具に係着されて成ることを特徴とする請求項１に記載の折板屋根へのカバー材の取付構造。
【発明の詳細な説明】
【技術分野】
【０００１】
本発明は、折板屋根の防水性及び外観等の向上のために設けられるカバー材の取付構造に関するものである。
【背景技術】
【０００２】
従来より、複数の折板屋根材が馳締めにより連結されることによって、山部と谷部が交互に連なった折板屋根が形成されている。また、このような折板屋根の防水性や外観を向上させるためにカバー材が設けられている（例えば、特許文献１参照）。図９に示されるカバー材５０は天板５１と一対の側板５２と一対のリップ部５３とを備えて形成されている。側板５２は天板５１の両方の側端部から外側斜め下方に向かって突設されている。また、リップ部５３は、各側板５２の下端から内側に向かって略水平に突設されている。そして、カバー材５０を折板屋根６の山部４に上方から近づけて一対のリップ部５３の間に馳連結部３を挿入し、一対のリップ部５３で馳連結部３を弾性的に挟持することによって、カバー材５０が馳連結部３に係止される。
【０００３】
このようにして山部４に取り付けられたカバー材５０は馳連結部３が天板５１及び側板５２で被覆されるため、馳連結部３が直接風雨にさらされることがなくなり、馳連結部３の防水性が向上するものであり、また、馳連結部３がカバー材５０で見えなくなって折板屋根６の外観が向上するものである。
【先行技術文献】
【特許文献】
【０００４】
【特許文献１】特開平２−６８０１６号公報
【発明の概要】
【発明が解決しようとする課題】
【０００５】
しかし、上記の従来例のカバー材５０ではリップ部５３を馳連結部３に直接係止しているため、丸馳や角馳などの馳連結部３の形状によってリップ部５３が充分な強度で係止できない場合があり、強風による巻き上げ等によってカバー材が脱落することがあった。従って、カバー材が脱落しにくく、折板屋根の防水性や外観を長期間にわたって維持できることが望まれていた。
【０００６】
本発明は上記の点に鑑みてなされたものであり、カバー材が脱落しにくく、折板屋根の防水性や外観を長期間にわたって維持しやすい折板屋根へのカバー材の取付構造を提供することを目的とするものである。
【課題を解決するための手段】
【０００７】
本発明に係る折板屋根へのカバー材の取付構造は、複数の折板屋根材の山部半体同士が馳連結部により連結されることによって、山部と谷部とが交互に連なった折板屋根が形成され、前記馳連結部を被覆するカバー材が山部に取り付けられるカバー材の取付構造であって、前記馳連結部に係止具が全長にわたって取り付けられると共に前記係止具は固定具によって前記馳連結部に固定され、前記固定具が前記馳連結部に当接することにより前記馳連結部が締め付けられ、前記カバー材には被係止部が形成され、前記係止具に前記被係止部が係止されることによって、前記カバー材が前記係止具に固着されて成ることを特徴とするものである。
【０００８】
前記係止具には前記山部の側方に突出する係止部が形成され、前記カバー材には前記山部の側面を被覆する側面被覆部が形成されると共に前記側面被覆部に前記被係止部が形成され、前記係止部に前記被係止部が係止されることによって、前記カバー材が前記係止具に係着されてもよい。
【発明の効果】
【００１０】
本発明では、カバー材が係止具により強固に山部に取り付けられ、強風による巻き上げ等によってもカバー材が脱落しにくくなるものであり、折板屋根の防水性や外観を長期間にわたって維持しやすいものである。
【図面の簡単な説明】
【００１１】
【図１】本発明の実施の形態の一例を示す断面図である。
【図２】同上の折板屋根材の一例を示す一部の斜視図である。
【図３】同上の折板屋根の一例を示す一部の斜視図である。
【図４】同上のカバー材の一例を示す一部の斜視図である。
【図５】同上の係止具の一例を示す斜視図である。
【図６】同上の施工途中の一例を示す一部の斜視図である。
【図７】同上の施工途中の一例を示す一部の斜視図である。
【図８】同上の他の実施の形態の一例を示す断面図である。
【図９】従来例を示す断面図である。
【発明を実施するための形態】
【００１２】
以下、本発明を実施するための形態を説明する。
【００１３】
折板屋根６は、複数の折板屋根材１が並設されることにより形成されている。折板屋根材１は、塗装鋼板や亜鉛めっき鋼板などの金属板を折り曲げ加工して形成されるものであって、屋根の傾斜方向（流れ方向）に長尺に形成されるものである。また、図２に示すように、折板屋根材１は断面略Ｕ字状に形成されており、平板状の谷部５と、その両方の側端部から斜め上方に向かって突出する山部半体４ａ、４ｂとを備えて形成されている。一方の山部半体４ａは、谷部５の一方の側端から外側方（谷部５と反対側）の斜め上方に向かって突出する傾斜部４１と、この傾斜部４１の上端から外側方に向かって略水平に突出する頂部４２と、この頂部４２の端部から上方に向かって突出する断面略逆Ｕ字状の嵌合部４３と、嵌合部４３の先端に外側方の斜め下方に向かって突出する押圧部４４とを備えて形成されている。他方の山部半体４ｂは、谷部５の一方の側端から外側方（谷部５と反対側）の斜め上方に向かって突出する傾斜部４１と、この傾斜部４１の上端から外側方に向かって略水平に突出する頂部４２と、この頂部４２の端部から上方に向かって突出する断面略円弧状の被嵌合部４５とから構成されている。
【００１４】
そして、折板屋根６は複数の折板屋根材１を母屋等の屋根下地３０の上に屋根の傾斜方向と直交する方向に並べて形成されている。この場合、各折板屋根材１は屋根の傾斜方向と略平行に長く並設されて形成されている。また、屋根の傾斜方向と直交する方向において隣接する折板屋根材１、１は馳締めにより連結される。すなわち、折板屋根材１の被嵌合部４５を設けた山部半体４ｂと、他の折板屋根材１の嵌合部４３を設けた山部半体４ａとを隣接させた後、この被嵌合部４５に隣接させた嵌合部４３を被せて嵌合し、この後、押圧部４４が被嵌合部４５の基部付近に当接するように嵌合部４３が屈曲されて馳締めされる。このようにして被嵌合部４５と嵌合部４３の馳締めにより形成される馳連結部３により、屋根の傾斜方向と直交する方向において隣接する折板屋根材１、１の山部半体４ａ、４ｂ同士が連結される。また、馳連結部３により連結された山部半体４、４により一個の山部４が形成される。そして、上記のようにして複数の折板屋根材１を順次連結することによって、図３に示すように、屋根の傾斜方向と直交する方向において、山部４と谷部５とが交互に連なった折板屋根６が形成されるものである。
【００１５】
カバー材７は、折板屋根材１と同様の金属板を折り曲げ加工して形成されるものであって、屋根の傾斜方向に長尺に形成されるものである。また、図４に示すように、カバー材７は平板状の天板部１０と、天板部１０の両方の側端部から斜め下方に向かって突出する一対の側壁部１１とで断面略Ｕ字状に形成されており、さらに、各側壁部１１の側端から外側方（天板部１０と反対側）に略水平に突出する一対の突出部１２と、各突出部１２の側端から外側方（天板部１０と反対側）の斜め下方に向かって突出する一対の側面被覆部１３とを備えてカバー材７が形成されている。側面被覆部１３の上下方向の略中央部には被係止部１４がカバー材７の長手方向の全長にわたって突設されている。被係止部１４は側面被覆部１３を上下方向の略中央部で裏面側に屈曲させて形成することができる。また、側面被覆部１３はバネ性を有しており、その基部（突出部１２側の端部）を中心として弾性変形可能に形成されている。
【００１６】
係止具８は、折板屋根材１やカバー材７よりも厚い金属板を折り曲げ加工して形成されるものであって、カバー材７よりも短尺なピース部材として形成されている。また、図５に示すように、係止具８は、下面が開口する断面略コ字状の固定部２０と、固定部２０の両方の側端から外側方（固定部２０と反対側）に略水平に突出する一対の支持部２１と、各支持部２１の側端から外側方（固定部２０と反対側）の斜め下方に向かって突出する一対の係止部２２とを備えて形成されている。また、係止具８には固定部２０一方の側壁を貫通するようにしてボルト等の固定具２３が設けられている。
【００１７】
そして、折板屋根６にカバー材７を取り付けるにあたっては、次のようにして行うことができる。まず、折板屋根６の山部４の馳連結部３の全長にわたって係止具８を取り付ける。ここで、図６に示すように、係止具８は一つの山部４に複数個設けることができる。また、複数個の係止具８は、所定の間隔を介して折板屋根６の傾斜方向に並べて取り付けられる。隣り合う係止具８の間隔は、必要とするカバー材７の取り付け強度に応じて適宜設定可能であるが、例えば、約３００ｍｍとすることができる。係止具８を山部４に取り付けるにあたっては、図７に示すように、係止具８の固定部２０を馳連結部３に上側から被せ、固定具２０で馳連結部３を跨ぐようにして固定具２０の内側に馳連結部３を嵌め込む。この後、係止具８の固定具２３を締め付けて固定具２３の先端を馳連結部３の側面に当接させる。このようにして馳連結部３に係止具８を固定して設けることができる。また、固定具２３の先端を馳連結部３の側面に当接させることにより、馳連結部３の嵌合部４３や押圧部４４が固定具２３の先端で被嵌合部４５側に押圧されることになる。従って、この押圧により、馳連結部３の馳締めがさらに締め付けられることになり、馳連結部３を形成する嵌合部４３と被嵌合部４５との隙間を小さくすることができ、防水性を向上させることができる。尚、「馳連結部３の全長にわたって係止具８を取り付ける」とは、図６に示すように、複数の係止具８を馳連結部３の長手方向に沿って所定の間隔を介して並べて取り付ける場合のほかに、長尺の一つの係止具８を馳連結部３の全長にわたって取り付ける場合も含む。
【００１８】
上記のようにして係止具８を山部４に取り付けると、係止具８の支持部２１の先端が山部４の頂部４２よりも側方に突出し、係止具８の係止部２２が山部４の外側面上部の側方に隙間１５を介して位置する状態となる。次に、山部４の上方からカバー材７を近づけて係止具８に固着することによって、図１に示すように、山部４の略全長にわたってカバー材７を取り付けることができる。このとき、カバー材７の両方の被係止部１４がそれぞれ山部４の両側方に位置する係止部２２の先端の下側に係止されるが、被係止部１４は側面被覆部１３のバネ性により弾性的に係止部２２に係止されることになる。カバー材７は馳連結部３を有する山部４の全てに取り付けるのが好ましい。
【００１９】
そして、カバー材７の天板部１０と側壁部１２とで馳連結部３が被覆されることになり、馳連結部３及び係止具８が見えにくくなって折板屋根６の外観が向上するものである。また、カバー材７により馳連結部３が直接風雨にさらされることがなくなり、馳連結部３の防水性が向上するものである。また、側面被覆部１３で山部４の外側面上部が覆われて防水性を向上させることができ、しかも、側面被覆部１３の先端がそのバネ性により山部４の外側面に弾接するものであり、側面被覆部１３の先端と山部４の外側面との間に隙間が形成されにくくして防水性をさらに向上させることができる。
【００２０】
図１では馳連結部３が丸馳の場合を示すが、図８に示すように、馳連結部３が角馳の場合であっても上記と同様にしてカバー材７を取り付けることができる。尚、角馳は嵌合部４５で構成される馳連結部３の上面及び側面が略平坦面で形成されるが、丸馳は嵌合部４５で構成される馳連結部３の表面が略円弧状に形成されるものである。このように本発明では、角馳や丸馳や菱形馳などのほぼ総ての各種形状の馳連結部３に対しても係止具８を用いてカバー材７を取り付けることができる。そして、馳連結部３の形状が異なっていても、係止具８やカバー材７の形状を変えることなく一種類のもので対応することができる。よって、馳連結部３の形状が異なっていても、係止具８に対するカバー材７の取り付け強度が低下しないようにすることができ、カバー材７を充分な強度で取り付けることができる。従って、強風による巻き上げ等によってカバー材７が脱落しにくくなって、折板屋根の防水性や外観を長期間にわたって維持しやすいものである。
【００２１】
尚、本発明は、施工後、数か月から数年経過した既設の折板屋根６に対しても適用することが可能である。
【符号の説明】
【００２２】
１  折板屋根材
３  馳連結部
４  山部
４ａ  山部半体
４ｂ  山部半体
５  谷部
６  折板屋根
７  カバー材
８  係止具
１３  側面被覆部
１４  被係止部
２２  係止部
【図１】
0005266350.tif 000002
【図２】
0005266350.tif 000003
【図３】
0005266350.tif 000004
【図４】
0005266350.tif 000005
【図５】
0005266350.tif 000006
【図６】
0005266350.tif 000007
【図７】
0005266350.tif 000008
【図８】
0005266350.tif 000009
【図９】
0005266350.tif 000010